(57)【要約】      （修正有）【課題】排水逆侵入防止海中空間部分の設置と水槽内圧縮水深圧併用継続排出装置により大容量発電を行う海中発電船を提供する。【解決手段】海中発電船の外側部分に「外海排出貯留水槽」を設置を行ない、その排水口は海上喫水面近くの排出口より排水を行なう事とする。次々と流入して来る大量の侵入海排水は本発電船内に入れば全量当然の如く大気圧圏内の強烈な引力の影響を受ける陸上部分設置と同じ貯留水槽内の大容量海水の集合海水となる。この大容量海水を深海部分より順調に排出するため、排水逆侵入防止海中空間（Ｈ）Ａ．（Ｈ）Ｂ．（Ｈ）Ｃを設置する。【選択図】図１
2014037221.tif 000002
【特許請求の範囲】
【請求項１】
海中設置の貯留水槽内に流入して来る大量の排水を下記の通りの排水力の活用の為に各装置の設置を行ないより自然な形での排出方法を考案したものである。
まず貯留水槽内の最底部部分に「水槽内圧縮水深圧併用継続排出装置」の設置を行ない、本装置内より貯留水槽内で自然発生する大気圏内での水深に対する水圧の上に流入時に起こる回転渦流と、高圧空気の噴出等に依る諸々の排水圧に依り、殆んど自然の排水力の力で外海に排出される事となる。
その時に心配される逆侵入に対しては「排水逆侵入防止海中空間」の設置を行ないその中の圧縮空気量は簡単に調整されるものであり、逆侵入は完全に阻止される事となる。
又「海排水降下排圧装置」数台が交互に順次排水の流入が行なわれ規定の定水位に達すると自動的に「排圧流入調整遮断装置」に依る閉鎖が行なわれ、「排圧降下圧力蓋」内の重量物の降下圧とチェーン等の力に依りゆっくりと降下が始まり、その降下排圧力が「船中高水圧発生調整室」と「外海直接排水筒」内等に繋がる事となり、次々と排水が継続され、「外海排出貯留水槽」内に流入した排水に於いては排水出口部分の水圧が「外海排出貯留水槽」内の水圧とほぼ同じとなる為に海上喫水線近くに設定がされた「排海水船外放出装置」よりの放排出流に乗って次々と湧き出すが如く外海に継続排水されると同時に別途設置の「水槽内圧縮水深圧併用継続排出装置」活用による継続された大容量継続排水の全体構想。
【発明の詳細な説明】
【技術分野】
【０００１】  海中発電船外側部分に「外海排出貯留水槽」部分を設置しこの内部の排水日常時外海海上面近辺の海水と同じ１気圧が常時保持される事となる。
そして「船中高水圧発生調整室」より「排水逆侵入防止海中空間」設置を経由されて放出された排水は再び船内貯留水槽内へ戻る事等は全く起こり得ない為に「排海水船外放出装置」より発生される放出渦流と共に次々に外海部分へ放出される事となり、殆んど海上面海中部分に自然に溶け込む形で大量の排水が普通の海水へと還って行く事となる。【０００２】  本装置「排水逆侵入防止海中空間」（Ｈ）Ａ部分の発見設置に依り貯留水槽内の排水の船外排出が大変簡単に行なわれる事となり、海中発電の強敵である深海水圧の排出対策は殆んど必要としなくて良く、海中空間（Ｈ）Ａ部分の空気圧は僅か数気圧でしかない為に空気量の増減は簡単に行なえるものであり、一度海中空間（Ｈ）Ａ部分を通過排出された排海水は、瞬時に海上喫水面近辺と同水圧となる為に又、「排水逆侵入防止海中空間」設置内を逆侵入する事等は全く不可能な為に順次送り出されて来る「船中高水圧発生調整室」よりの排水に押されて自然に流れ出すが如く外海部分へ放出される事となる。【０００３】  以上の通り図１にて説明する。【０００４】  海上海中部分に長方形型の海中発電船の設置を行ない、その発電使用済大容量排水の継続排水を行なう為に、まず発電船内部部分と深海外海部分の深海水圧との遮断をする為に「外海排出貯留水槽」の設置を行ないその排出口を海上喫水面近辺とする。
その事に依り深海外海水圧の船内排水影響の大幅な軽減と阻止を行ない、排水の多くが海上喫水線近辺設置の「排海水船外放出装置」よりの噴出放流の助けを借りて外海に継続排出される事となる。
又、その時の発電船内貯留水槽内の排水は数台設置がされた各々「海排水降下排圧装置」に流入が行なわれる事となるが、まず各排出装置内に予定水位迄の流入が到達すると「排水流入調整遮断装置」が完全閉鎖され、順次「排圧降下圧力蓋」の降下が行なわれる事に依り噴出排水が次々と「船中高水圧発生調整室」内と船底部分設置の「水槽内圧縮水深圧併用継続排出装置」内に流入し、各々設置の各「海中空間」部分を経て外海部分へ排出される事で逆侵入は全く起こり得ない為にそして常時本貯留水槽内では上方より流入して来る大量の排水の重量圧と本「海排水降下排圧装置」の連続降下排水圧双方の相乗効果に依る強烈な「排出圧力」に依り自然な感じで次々と排水は外海に排出される事となる。【０００５】
【特許文献】特にありません。
【発明の概要】
【発明が解決しようとする課題】  どうしても大容量発電を目指せば大量排水の発生となり、当然にその排水設備の海深度が深くなる為に水深圧排出への対処が必要であるが、深海部分での大容量空間の設置となり大変厳しい排出方法となる為に殆んど大容量発電は厳しいと考えていたのですが、今回偶然にも深海排水を海上喫水線近く迄の排水路を設置すれば大きく前進する事を発見したものであり、その時の最大の難関である海上方面に排出した排海水の逆侵入への阻止方法も「排水逆侵入防止海中空間」部分の発見設置に依り完全に大きな危惧が解消される事となり、当然「水槽内圧縮水深圧併用継続排出装置」よりの排水も充分に行なわれる事となり、最大の懸案事項である大容量排水が出現する事となる。
【課題を解決するための手段】  海中発電船の外側部分に「外海排出貯留水槽」を設置を行ない、その排水口は海上喫水面近くの排出口より排水を行なう事とする。
当然深海部分での排水とは大きく違い自然深海水圧は全く影響が及ばない排水となる。
次々と流入して来る大量の侵入海排水は本発電船内に入れば全量当然の如く大気圧圏内の強烈な引力の影響を受ける陸上部分設置と同じ貯留水槽内の大容量海水の集合海水となる。
この大容量海水をいかに深海部分より順調に排出するかであるが、本申請の通り各設備を行ない排出口を海上喫水面近く迄持って来れば水圧等は殆んど受けない為に簡単に排出が可能となる。
そしてこの大容量排水をいかに逆侵入の阻止をするかであるが各々排出口部分に「排水逆侵入防止海中空間」（Ｈ）Ａ．（Ｈ）Ｂ．（Ｈ）Ｃを設置をし、完全な逆侵入の阻止を行ない、船底深海部分での排水処理も「水槽内圧縮水深圧併用継続排出装置」の設置を行なう事に依り深海部分での継続された排水が可能となるものであり、本「排水逆侵入防止海中空間」の発見設置に依る最大の懸案である海中排水処理が大きく前進する事となる。
【発明の効果】  「外海排出貯留水槽」「排水逆侵入防止海中空間」「水槽内圧縮水深圧併用継続排出装置」等の発見設置に依り深海海中部分への継続された放出、又海上喫水線部分での継続された大容量排出に継がる「海排水降下排圧装置」の海中発電船規模に応じた数台の設置に依る連続された継続排水に必要な圧力排水の確保等、何ら難しい設備装置等は全く無い為に最大の懸案事項であったより簡単に継続された大容量排水が、充分に可能となり、世界中で次々と大容量海中発電設備が出現する事となる。
【図面の簡単な説明】
【図１】海中発電船内での各発電機の設置図と各排出装置の全体設置図であり、各排水の排出方法に依る諸装置設置の詳細図である。
【発明を実施するための形態】
［図１］まず海中発電船内に次々と流入して来る侵入排出水の為に本貯留水槽内には常に侵入排出水自体の渦流発生等と「高圧空気噴出装置」よりの高圧空気の噴出等の上に「海排水降下排圧装置」の降圧縮稼動等々に依り常時貯留水槽内の各排出口部分に於いては排水圧力が懸かっている図であり、特に「外海排出貯留水槽」の設置に依る大量の排水が殆んど深海水圧を受ける事なく海上喫水線近くの排出口より排水が行なわれる図となっている。
【図１】
2014037221.tif 000003